(57)【要約】【課題】装着時に良好なフィット感が得られると共に、スイングの際グリップを確実なものとすることができるゴルフ用グローブを提供する。【解決手段】グローブ本体１のアクセス用開口部２の周縁部に第１の係着ベルト片３Ａの一端部を取付ける。この第１の係着ベルト片３Ａの取付位置より上方位置に第２の係着ベルト片３Ｂの一端部を取付ける。第１の係着ベルト片３Ａを斜め上方に持ち上げながらグローブ本体１の甲側領域に付設してある係着部材４に係着させ、この第１の係着ベルト片３ＡとＸ状に交差するように第２の係着ベルト片３Ｂを斜め下方へ引っ張ってグローブ本体１の甲側領域に付設してある係着部材４に係着させることによりアクセス用開口部２を閉じるようにした。【選択図】図３
0003122009.tif 000002
【実用新案登録請求の範囲】
【請求項１】
グローブ本体の手首側に形成されるアクセス用開口部を閉じるためにグローブ本体に付設される係着ベルト片において、グローブ本体のアクセス用開口部の周縁部に第１の係着ベルト片の一端部を取付けると共に、この第１の係着ベルト片の取付位置より上方位置に第２の係着ベルト片の一端部を取付け、前記第１の係着ベルト片を斜め上方に持ち上げながらグローブ本体の甲側領域に付設してある係着部材に係着させ、この第１の係着ベルト片とＸ状に交差するように第２の係着ベルト片を斜め下方へ引っ張ってグローブ本体の甲側領域に付設してある係着部材に係着させることによりアクセス用開口部を閉じるようにしたことを特徴とするゴルフ用グローブ。
【考案の詳細な説明】
【技術分野】
【０００１】
本考案は装着時に良好なフィット感が得られると共に、スイングの際グリップを確実なものとすることができるゴルフ用グローブに関する。
【背景技術】
【０００２】
ゴルフクラブのスイングの際に、グリップを確実なものにして正確なショットを得るため、ゴルファーの手にはグローブが必需品となっている。このゴルフ用グローブは手に密着するように作成されるものであるため、手の出し入れにはアクセス用の開口部が不可欠である。
【０００３】
プレーの際、このアクセス用開口部はゴルファーの手に嵌めてから閉じなければならず、そのためこのアクセス用開口部に隣接して係着ベルト片が取付けられ、当該係着ベルト片の内側に形成されている一方の面ファスナーを、グローブ本体の甲側領域に形成してある他方の面ファスナーに係着させて開口部を閉じるようにしている。
【０００４】
従来の係着ベルト片は、次に示す特許文献１ないし特許文献３に開示されているように、幅広状の１枚の係着ベルト片がアクセス用開口部に隣接して縫着されており、ゴルファーはアクセス用開口部を拡げながらグローブ本体を手に嵌めてから、当該係着ベルト片の先端を掴んでアクセス用開口部を跨ぐように横方向に引っ張ってグローブ本体の甲側領域に設けてある面ファスナーに係着させるものである。
【特許文献１】特開２００２−１４３３６４号公報
【特許文献２】特開２００１−２４６０３９号公報
【特許文献３】実用新案登録第３００２７４９号公報
【考案の開示】
【考案が解決しようとする課題】
【０００５】
上記したように従来のアクセス用開口部を閉じる係着ベルト片は１枚物からなっていて、手に装着してから開口部を塞ぐようにこれを横方向に引っ張って一対の面ファスナーにより閉じるようにしている。このように、従来型係着ベルト片の引っ張り方向は一方向のみであって、これによった場合、係着ベルト片が縫着されている周辺のグローブ本体の構成材は甲側領域に引っ張られて良好なフィット感が得られるものの、小指を覆う甲側部材及び掌側部材には逆に弛みが生じてルーズになり易く、グリップが不完全なものになるという問題点がある。
【０００６】
そこで、本考案は前記した従来のゴルフ用手袋の不具合点を解消し、アクセス用開口部を閉じるための係着ベルト片を上下に二分して互いに筋交い状に交差するようにグローブ本体の甲側領域に設けてある係着部材に係着させることができるようにして小指を覆う甲側部材及び掌側部材に生じる弛みを除去して良好なフィット感が得られるようになしたゴルフ用グローブを提供することを目的とする。
【課題を解決するための手段】
【０００７】
上記目的を達成するための本考案の構成を詳述すれば、請求項１に係る考案はグローブ本体の手首側に形成されるアクセス用開口部を閉じるためにグローブ本体に付設される係着ベルト片において、グローブ本体のアクセス用開口部の周縁部に第１の係着ベルト片の一端部を取付けると共に、この第１の係着ベルト片の取付位置より上方位置に第２の係着ベルト片の一端部を取付け、前記第１の係着ベルト片を斜め上方に持ち上げながらグローブ本体の甲側領域に付設してある係着部材に係着させ、この第１の係着ベルト片とＸ状に交差するように第２の係着ベルト片を斜め下方へ引っ張ってグローブ本体の甲側領域に付設してある係着部材に係着させることによりアクセス用開口部を閉じるようにしたことを特徴とするゴルフ用グローブである。
【考案の効果】
【０００８】
このように、本考案ゴルフ用グローブはグローブ本体の手首側に形成されるアクセス用開口部を閉じるための係着ベルト片を上下に二分し、互いの係着ベルト片をＸ状に交差するようにグローブ本体の甲側領域に設けてある係着部材に係着させるようにしたものであり、手に嵌めた場合、小指部分を含めた係着ベルト片側のグローブ構成部材が甲側領域へ引っ張られてきわめて良好なフィット感をゴルファーに与えることができるものである。  そのため、グリップを確実なものとすることができ、正確なショットを得ることができるものである。
【考案を実施するための最良の形態】
【０００９】
以下、本考案ゴルフ用グローブの実施形態の一例を図面に基づき詳細に説明する。
図１は第１の係着ベルト片及び第２の係着ベルト片を開いた状態のグローブ本体の甲側を示す斜視図、図２は第１の係着ベルト片を甲側領域の斜め上方に向けて引っ張って係着させた状態の斜視図、図３は第１の係着ベルト片及び第２の係着ベルト片をＸ状に交差するようにグローブ本体の甲側領域に係着させた使用状態の一例を示す斜視図である。
【００１０】
図中１は天然皮革の他、合成皮革、人工皮革等薄手の適宜素材によってゴルファーの手のひら側及び手の甲側全体を密に覆うことができる大きさに形成したグローブ本体であり、２は当該グローブ本体１の手首側に形成されるアクセス用開口部を示す。
【００１１】
このアクセス用開口部２はゴルファーの手の出し入れの際に不可欠なものであり、装着後は閉じて手と一体感が得られるようにしなければならない。本考案はこのアクセス用開口部２を閉じるための係着ベルト片の改良に関するものであり、前記したように従来一つであった係着ベルト片を上下に二分し、それぞれをグローブ本体１の甲側領域に筋交い状に係着できるようにしたものである。
【００１２】
３Ａはグローブ本体１のアクセス用開口部２の周縁部に縫着した第１の係着ベルト片であり、３Ｂはこの第１の係着ベルト片３Ａの取付位置より上方位置のグローブ本体１に縫着した第２の係着ベルト片を示す。
【００１３】
４はグローブ本体１の甲側領域に付設した多数の雄係着子を植設してなる面ファスナーのような係着部材であり、前記第１の係着ベルト片３Ａ及び第２の係着ベルト片３Ｂの内側にはこの係着部材４に係着し得る多数の雌係着子を植設してなる面ファスナーのような係着部材５Ａ及び５Ｂを付設してある。
【００１４】
第１の係着ベルト片３Ａは図１に示すように、アクセス用開口部２の周縁部に沿ってその一端部を縫着するものであり、第２の係着ベルト片３Ｂはこれより上方位置にその一端部を縫着するが、図示の実施形態においては小指部６の僅か下方位置において甲側部材と掌側部材の縫着の際に一緒にその一端部を挟み込んで縫着するようにしている。
【００１５】
図示の実施形態においては、第１の係着ベルト片３Ａは縫着後にその先端部が甲側領域の斜め上方に向くように縫着端部をテーパ状に予め裁断してあり、第２の係着ベルト片３Ｂはその先端部が甲側領域の斜め下方に向くように縫着端部をテーパ状に予め裁断してある。しかしながら、柔軟性に富み、縦横いずれの方向にも伸縮自在なストレッチ性の良好な素材を用いる場合には、第１の係着ベルト片３Ａ及び第２の係着ベルト片３Ｂのそれぞれの縫着端部は垂直状に裁断してもよいのは勿論である。
【００１６】
図１及び図２に示すように、第１の係着ベルト片３Ａの内側には全面に亘って係着部材５Ａを形成してあるが、第２の係着ベルト片３Ｂの内側には全面に亘って係着部材が形成されておらず、中央付近から先端部分にかけてのみ係着部材５Ｂが形成されている。
【００１７】
これは、アクセス用開口部２を閉じるとき、第１の係着ベルト片３Ａを先に甲側領域の係着部材４に係着させ、第２の係着ベルト片３Ｂは、この第１の係着ベルト片３Ａの上を跨いで係着部材４に係着させるものであり、第１の係着ベルト片３Ａと重なる部分には係着部材を設ける必要がないからである。しかしながら、第２の係着ベルト片３Ｂの内側にも全面に亘って係着部材５Ｂを形成するようにしてもよいのは勿論である。
【００１８】
グローブ本体１の甲側領域に付設した多数の雄係着子を植設してなる面ファスナーのような係着部材４は、図１に示すように、第１の係着ベルト片３Ａに対応する領域７Ａと、第２の係着ベルト片３Ｂの係着部材５Ｂに対応する領域７Ｂを形成してあるが、このような特殊な形態を係着部材４に賦与する必然性はなく、このような凹凸部のない普通の外観形態とした係着部材４としてもよいのは勿論である。
【００１９】
その他、図中の８はフィット感を高めるためグローブ本体１の甲側領域における係着部材４の上方位置に縫着したツーウェイニット素材等からなる伸縮部である。
【００２０】
本考案ゴルフ用グローブはこのような構成からなり、使用にあたっては、アクセス用開口部２を開いてゴルファーの手指を所定の袋内に密に装着する。次いで、第１の係着ベルト片３Ａの先端を掴んで、アクセス用開口部２を閉じるように甲側領域の斜め上方に向けて引いてそのまゝ係着部材４の領域７Ａに係着させる。
【００２１】
その後、第２の係着ベルト片３Ｂの先端付近を掴んでグローブ本体１の甲側領域の斜め下方に向け引っ張ってそのまゝ係着部材４の領域７Ｂに係着させ、第１及び第２の２本の係着ベルト片によって甲側をＸ状に締め付けるものである。
【００２２】
なお、第２の係着ベルト片３Ｂの中央付近から先端部分にかけて係着部材５Ｂを形成してあるので、前記とは逆に、第２の係着ベルト片３Ｂを先に係着させてから、その上を跨ぐように第１の係着ベルト片３ＡをＸ状に甲側領域に係着させてアクセス用開口部２を閉じるようにすることも当然可能である。
【００２３】
このように第１の係着ベルト片３Ａは斜め上方に向け甲側領域に係着され、下から上に向かう良好なフィット感が得られると共に、第２の係着ベルト片３Ｂが斜め下方に向けて係着されるので、小指部６周辺のグローブ本体１の余剰部が甲側に引っ張られてルーズ感がなくなり、クラブを握る手のひら側が素手に近い感覚を得ることが可能となる。従って、スイングが安定し確実なショットを実現することができるものである。
【図面の簡単な説明】
【００２４】
【図１】第１の係着ベルト片及び第２の係着ベルト片を開いた状態のグローブ本体の甲側を示す斜視図である。
【図２】第１の係着ベルト片を甲側領域の斜め上方に向けて引っ張って係着させた状態の斜視図である。
【図３】第１の係着ベルト片及び第２の係着ベルト片をＸ状に交差するようにグローブ本体の甲側領域に係着させた使用状態の一例を示す斜視図である。
【符号の説明】
【００２５】
１：グローブ本体
２：アクセス用開口部
３Ａ：第１の係着ベルト片
３Ｂ：第２の係着ベルト片
４：係着部材
５Ａ：係着部材
５Ｂ：係着部材
６：小指部
７Ａ：領域
７Ｂ：領域
８：伸縮部
【図１】
0003122009.tif 000003
【図２】
0003122009.tif 000004
【図３】
0003122009.tif 000005